(57)【要約】【課題】配電線路電圧から中高層集合住宅向けの電圧に変圧する変電設備を設置する際に、現場作業の効率化・省力化を図る。【解決手段】アングル材５０によって構成された複数の単位フレーム５０ａ，５０ｂを、分解可能に組み立てて構築される収納ラック５５と、単位フレーム５０ａ，５０ｂに、変圧器４０以外の変電設備を固定する固定手段と、収納ラック５５が組み立てられた状態において、変電設備に含まれる機器同士を接続する配線手段１０〜１４と、組み立てられた状態の収納ラック５５内に形成され、変圧器４０が設置される変圧器設置空間と、変圧器４０設置空間の底面に位置するアングル材５０に係合され、鉛直方向に進退可能なジャッキ部３０と、ジャッキ部３０に連結され、ジャッキ部３０を進退させるための駆動力を供給する操作部３１とを備え、操作部３１は、ジャッキ部３０から変圧器４０の上方に至る長さを有する。【選択図】  図１
2014107936.tif 000002
【特許請求の範囲】
【請求項１】
変圧器を含む変電設備の設置構造であって、
アングル材によって構成された複数の単位フレームを、分解可能に組み立てて構築されるフレーム部と、
前記単位フレームに、前記変圧器以外の前記変電設備を固定する固定手段と、
前記フレーム部が組み立てられた状態において、前記変電設備に含まれる機器同士を接続する配線手段と、
前記組み立てられた状態のフレーム部内に形成され、前記変圧器が設置される変圧器設置空間と、
前記変圧器設置空間の底面に位置する前記アングル材に係合され、鉛直方向に進退可能なジャッキ部と、
前記ジャッキ部に連結され、前記ジャッキ部を進退させるための駆動力を供給する操作部と
を備え、
前記操作部は、前記ジャッキ部から前記変圧器の上方に至る長さを有する
ことを特徴とする変電設備の設置構造。
【請求項２】
前記ジャッキ部及び前記操作部は、一体的なロッド状の部材で形成され、
前記変圧器設置空間の底面に位置する前記アングル材には、鉛直方向に貫通された係合孔が穿設され、
前記ロッド状の部材の先端には、前記係合孔に螺合されるネジ部が形成されている
ことを特徴とする請求項１に記載の変電設備の設置構造。
【請求項３】
前記変圧器設置空間の底面に位置する前記アングル材の下面には、ローラー部が着脱自在に取り付けられていることを特徴とする請求項１又は２にＫＳ居合いの変電設備の設置構造。
【請求項４】
変圧器を含む変電設備の設置方法であって、
アングル材によって構成された単位フレーム部に前記変圧器以外の前記変電設備を固定する分解状態ステップと、
前記分解状態ステップで製作された単位フレームを、前記変電設備の設置場所に搬入する搬入ステップと、
前記単位フレームを組み立ててフレーム部を構築するとともに、前記変電設備に含まれる機器同士を接続するフレーム構築ステップと、
を有し、前記フレーム構築ステップには、
前記フレーム部内に、前記変圧器が設置される変圧器設置空間を確保するとともに、前記変圧器設置空間の底面に位置する前記アングル材に、鉛直方向に進退可能なジャッキ部を係合させるジャッキ設置ステップと、
前記ジャッキ部から前記変圧器の上方に至る長さを有する操作部を前記ジャッキ部に連結し、前記操作部を介して、前記ジャッキ部を進退させるための駆動力を前記ジャッキ部に供給して、前記単位フレームを上昇させるジャッキアップステップと
が含まれることを特徴とする変電設備の設置方法。
【請求項５】
前記ジャッキ部及び前記操作部は、一体的なロッド状の部材で形成され、
前記変圧器設置空間の底面に位置する前記アングル材には、鉛直方向に貫通された係合孔が穿設され、
前記ロッド状の部材の先端には、前記係合孔に螺合されるネジ部が形成され、
前記ジャッキアップステップでは、前記係合孔に前記ロッド状の部材を螺合させた状態で、前記操作部を介して駆動力を供給し、前記ロッド状の部材を下方へ向けて突出させて、前記単位フレームを上昇させる
ことを特徴とする請求項４に記載の変電設備の設置方法。
【請求項６】
前記変圧器設置空間の底面に位置する前記アングル材の下面には、ローラー部が着脱自在に取り付けられ、
前記搬入ステップでは、単位フレームの底面に、前記ローラー部を取り付けた状態で、前記単位フレーム及び前記変電設備を前記設置場所に搬入し、
前記ジャッキアップステップでは、前記ジャッキ部により前記単位フレームを上昇させた際に、前記ローラー部を取り外す
ことを特徴とする請求項４又は５に記載の変電設備の設置方法。
【発明の詳細な説明】
【技術分野】
【０００１】
本発明は、新築・既築の高圧受電設備のみならずあるゆる環境の高圧受電設備に係り、配電線路電圧から中高層集合住宅などの大口需要家における商用電圧に変圧する変電設備を設置する構造及び方法に関する。
【背景技術】
【０００２】
従来より、既築或いは新築の、５０ｋＶＡを超え２０００ｋＶＡ以下の、集合住宅や２０ｋＶ級三相３線式配電地域の中規模建築物については、需要家から提供された場所に電力会社所有の変電設備を設置して電力を供給する配電方式が知られている。この変電設備としては、特別高圧又は高圧から低圧への変圧器・電力ヒューズなどが設置される。この変電設備の設置場所としては、中高層集合住宅側である需要家から電力会社に貸し室として提供される変電設備室とするのが一般的である。
【０００３】
ところで、この変電設備室は、その間口， 奥行き， 天井高さなどが多様であるため、変電設備の施工においては、提供された変電設備室の間取り等に応じて、現場で金属製の丸パイプを切断し、コンクリート床面の複数箇所に支柱となる丸パイプをアンカーボルトなどにより固定して、これらの支柱に対して丸パイプを間口方向及び奥行き方向に組み付けて、全体として枠状に組み立てて、変圧器，電力ヒューズ、一次側配電線及び一次側開閉器などを設置していた（例えば、特許文献１）。
【先行技術文献】
【特許文献】
【０００４】
【特許文献１】特開２００５−３９９３８号公報
【発明の概要】
【発明が解決しようとする課題】
【０００５】
しかしながら、上述した特許文献１に示した方式では、丸パイプを現場で切断して枠状に組み立てることから、現場での加工が多いため、施工時間が長くなり、総コストが高くなるという問題点があった。特に、変電設備の設置に際しては、需要家側に対する電力供給を停止させることから、その施工時間が限られており、現場作業の効率化、省力化を図る必要がある。
【０００６】
また、既存の建物内では、設置スペースが限られていることから、放熱のための間隔を維持しつつも、なるべく変電設備同士を近づけて設置する必要があり、そのためには狭いスペースでの設置作業となるという問題もある。特に、変圧器等の変電設備は重量が大きく、これを狭い作業スペースで持ち上げて搬入し、設置するには、そのための特別な揚重設備や設置用の器具を用意しなければならず、限られた施工時間内に終了させるために、多くの人員や設備が必要となっており、工事費の増大の原因ともなっていた。
【０００７】
そこで、本発明は以上の点に鑑みてなされたもので、新築・既築の高圧受電設備のみならずあるゆる環境の高圧受電設備において、配電線路電圧から中高層集合住宅向けの電圧に変圧する変電設備を設置する際に、現場作業の効率化・省力化を図ることのできる変電設備の設置構造及び設置方法を提供することをその課題とする。
【課題を解決するための手段】
【０００８】
上記課題を解決するために、本発明は、変圧器を含む変電設備の設置構造であって、アングル材によって構成された複数の単位フレームを、分解可能に組み立てて構築されるフレーム部と、単位フレームに、変圧器以外の変電設備を固定する固定手段と、フレーム部が組み立てられた状態において、変電設備に含まれる機器同士を接続する配線手段と、組み立てられた状態のフレーム部内に形成され、変圧器が設置される変圧器設置空間と、変圧器設置空間の底面に位置するアングル材に係合され、鉛直方向に進退可能なジャッキ部と、ジャッキ部に連結され、ジャッキ部を進退させるための駆動力を供給する操作部とを備え、操作部が、ジャッキ部から変圧器の上方に至る長さを有することを特徴とする。
【０００９】
また、他の発明は、変圧器を含む変電設備の設置方法であって、
（１）アングル材によって構成された単位フレーム部に変圧器以外の変電設備を固定する分解状態ステップと、
（２）分解状態ステップで製作された単位フレームを、変電設備の設置場所に搬入する搬入ステップと、
（３）単位フレームを組み立ててフレーム部を構築するとともに、変電設備に含まれる機器同士を接続するフレーム構築ステップと、
を有し、上記（３）のフレーム構築ステップには、
（３−１）フレーム部内に、変圧器が設置される変圧器設置空間を確保するとともに、変圧器設置空間の底面に位置するアングル材に、鉛直方向に進退可能なジャッキ部を係合させるジャッキ設置ステップと、
（３−２）ジャッキ部から変圧器の上方に至る長さを有する操作部をジャッキ部に連結し、操作部を介して、ジャッキ部を進退させるための駆動力をジャッキ部に供給して、単位フレームを上昇させるジャッキアップステップと
が含まれることを特徴とする。
【００１０】
これらの発明によれば、変電設備室における変電設備の設置工事において、予め、工場など設置現場以外の場所において単位フレームに必要な変電設備（電力取引用変成器または取引用計器、力率改善設備、断路器、計器用変流器、計器用変圧器、継電器、及び遮断器等）を組み付けておき、その状態で設置現場に搬入し、現場にて全体として枠状に組み立てた後、変電設備に含まれる機器同士を接続する。この結果、現場での組付け作業を軽減することができる。
【００１１】
また、変圧器設置空間の底面、すなわちフレーム部の下端にジャッキ部を設け、これにより単位フレーム若しくはフレーム部を揚重する機能をフレーム自身に持たせることができ、特別な揚重設備や搬入装置を要することなく、簡単に重量の大きい変電設備を搬入及び設置することが可能となる。特に、ジャッキ部に駆動力を供給するための操作部が、変圧器の上方、すなわち変圧器設置空間の上側から、底面のジャッキ部に至るように設けられていることから、変圧器上方の空間を利用して作業を行うことができ、狭い設置場所であっても柔軟に対応することができる。
【００１２】
上記発明において、ジャッキ部及び操作部は、一体的なロッド状の部材で形成され、変圧器設置空間の底面に位置するアングル材には、鉛直方向に貫通された係合孔が穿設され、ロッド状の部材の先端には、係合孔に螺合されるネジ部が形成され、ジャッキアップする際には、係合孔にロッド状の部材を螺合させた状態で、操作部を介して駆動力を供給し、ロッド状の部材を下方へ向けて突出させて、単位フレームを上昇させることが好ましい。
【００１３】
この場合には、前記ジャッキ部や操作部を一体的なロッド状の部材で形成し、アングル材の係合孔に螺合させるという構成とすることから、変電設備の揚重を複雑な装置や器具を用いることなく簡易に行うことができ、設備費を低廉化できるとともに、設置や操作の簡素化により、作業時間を短縮することができる。
【００１４】
上記発明において、変圧器設置空間の底面に位置するアングル材の下面に、ローラー部を着脱自在に取り付け、搬入の際には、単位フレームの底面に、ローラー部を取り付けた状態で、単位フレーム及び変電設備を設置場所に搬入し、ジャッキアップステップでは、ジャッキ部により単位フレームを上昇させた際に、ローラー部を取り外すことが好ましい。
【００１５】
この場合には、アングル材にローラー部を取り付けた状態で、変圧器を単位フレームに載置して搬入することができるため、特別な搬入装置を要することなく、容易且つ迅速に設置作業を行うことができる。また、フレーム部に設けられたジャッキ部によりジャッキアップすることにより、ローラー部をフレーム部下端から取り外して撤去することができるため、特別な揚重装置を要することなく、変電設備が取り付けられたフレーム部を安定して設置することができる。
【発明の効果】
【００１６】
以上説明したように本発明の構造によれば、新築・既築の高圧受電設備のみならずあるゆる環境の高圧受電設備において、配電線路電圧から中高層集合住宅向けの電圧に変圧する変電設備を設置する際に、現場作業の効率化・省力化を図ることができる。
【００１７】
具体的には以下のような効果を期待することができる。
（１）限られた空間の中に受変電設備を設置するために、電力取引用変成器又は取引用計器、力率改善設備、断路器、計器用変流器、計器用変圧器、継電器、及び遮断器等の受電設備を最小限のスペースで設置することが可能となる。
【００１８】
（２）従来であれば装置を多角面にて区画するのが一般的であったが、本発明によれば、一区画面しか必要としないため、設置場所の制約を低減することができる。
【００１９】
（３）軽量化を図るためにＬ型アングルにて骨組みを形成したことから、側面等のバリアについては簡易的な措置にとどめることができる。
【００２０】
（４）上記記載の装置において、何段かに分解できる構造を有し、装置のスリム化、軽量化、及び分解構造化を図ったために持ち運びが人員にて容易に行うことができる。
【００２１】
（５）上記フレーム部はアングル構造であるため、箱体の受電装置と異なり引き込みの電線と送り出しの電線の引き入れ場所を容易に設定でき、現地での改造工事が容易に行うことができる。
【００２２】
（６）フレーム部に着脱可能なローラー部を設けるとともに、狭小な空間でも操作できるジャッキ部を単位フレーム自身に装備したことから、重量の大きい変圧器等の変電設備を搬入及び揚重するための特別な装置や設備を用いることなく、容易且つ迅速にフレーム部の設置を行うことができる。
【図面の簡単な説明】
【００２３】
【図１】（ａ）は、実施形態に係る変電設備の設置構造を示す正面図であり、同図（ｂ）は、実施形態に係る変電設備の設置構造を示す側面図である。
【図２】実施形態に係る収納ラックの概略構成を示す斜視図である。
【図３】（ａ）〜（ｄ）は、実施形態に係る収納ラックの構成及び組み立てを示す説明図である。
【図４】実施形態に係る変電設備の設置方法の手順を示す説明図である。
【図５】実施形態に係る変電設備の設置方法の手順を示すローチャート図である。
【図６】実施形態に係る変電設備室における変電設備の配列を示す正面図である。
【図７】第１変更例に係る変電設備の設置構造を示す側面図である。
【図８】（ａ）及び（ｂ）は、第１変更例に係る収納ラックの設置方法を示す説明図である。
【図９】第２変更例に係る変電設備の設置構造の概略構成を示す斜視図である。
【発明を実施するための形態】
【００２４】
（変電設備の収納ラックの構成）
本発明の実施形態について、図面を参照しつつ説明する。図１（ａ）は、実施形態に係る変電設備の設置構造を示す正面図であり、図１（ｂ）は、変電設備の設置構造を示す側面図である。図２は、本実施形態に係る変電設備の収納ラックの概略構成を示す斜視図であり、図３は、実施形態に係る収納ラックの構成及び組み立てを示す説明図である。本実施形態において収納ラック５５は、既築の変圧器室内のコンクリート床面上に設置され、その内部に変電設備が設置される。なお、本実施形態では、既築の建物内に変電設備を設置する場合を例に説明するが、本発明はこれに限定されるものではなく、例えば、新築・既築の高圧受電設備のみならずあるゆる環境の高圧受電設備において適用可能である。
【００２５】
具体的に、収納ラック５５は、アングル材によって構成された複数の単位フレーム５０ａ，５０ｂを分解可能に製作し、これを組み立てて構築される収納用のフレームである。そして、この収納ラック５５は、単位フレームに分解された状態において、それぞれの単位フレーム５０ａ，５０ｂに変電設備の各装置（変圧器４０及び変圧器４０以外の変電機器）を固定する固定手段と、フレームが組み立てられ収納ラック５５が完成された状態において、変電設備に含まれる機器同士を接続する配電線１１〜１３とを有する。
【００２６】
変圧器４０とは、交流回路の高電圧、大電流を低電圧、小電流に変換（変成）する機器であり、計器用変圧器ＶＴと計器用変流器ＣＴとの機能を有する電力計器用変成器（ＶＣＴ）などがある。また、変圧器以外の変電機器とは、高圧機器及び低圧機器があり、高圧機器としては、ＰＣ(高圧カットアウトスイッチ)、ヒューズ含むLBS(高圧交流負荷開閉器)、ＶＣＢ(高圧真空遮断器)、各種保護装置、変圧器(単相及び三相)、高圧進相コンデンサ、高圧リアクトル、碍子、碍子(モールドタイプ)高圧電線支持材、クリート、電圧計(切換スイッチを含む)、電流系(切換スイッチ含む)、ＶＴ(高圧計器用変圧器)、ＣＴ(高圧計器用変流器)、ＤＳ(断路器)、ＺＣＴ(零相変流器)等が含まれる。
【００２７】
また、低圧機器としては、低圧分岐装置、.低圧遮断器、低圧電流計(切換スイッチ含む)、ＣＴ(低圧変流器貫通型)、ＣＴ(低圧変流器ブスバー型)、低圧電圧計(切換スイッチ含む)、銅帯及び銅帯支持材、フレキシブル銅帯及び銅帯支持材等が含まれる。
【００２８】
また、各機器を接続する配電線１１〜１４には、高圧電線として、ＫＩＰ(高圧機器内配線用ＥＰゴム絶縁電線)、ＯＥ(屋外用ポリエチレン絶縁電線)が用いられ、低圧電線として、例えば、ＷＬ−１(難燃性ポリフレックス電線)、ＨＩＶ(６００Ｖ二種ビニル絶縁電線)、ＩＶ(６００Ｖビニル絶縁電線)が用いられる。
【００２９】
なお、本実施形態においては、変圧器以外の変電機器として、屋内用高圧交流負荷開閉器（ＬＢＳ）２０ａ〜２０ｃと、進相コンデンサ２５ａ〜２５ｃとを収納ラック５５に配置させるものとする。
【００３０】
そして、本実施形態において、この収納ラック５５内は、スリム化を図るためにＬＢＳ２０（２０ａ〜２０ｃ）下に変圧器４０を設置するための変圧器設置空間４０ａが設けられている。そして、この組み立てられた状態の収納ラック５５内において、変電設備の一部又は全部が、変圧器設置空間４０ａの上方に積み上げられている。
【００３１】
詳述すると、組立てられた収納ラック５５の内部には、ＬＢＳ２０が収納され、単位フレーム５０ａに固定されている。各単位フレーム５０ａ，５０ｂには、高圧キャビネットに接続された３本の一次側配電線１３又はこの一次側配電線に接続された３本の一次側配電線（高圧母線）が架線されている。一次側配電線１３は、ポリエチレン絶縁電線等で構成されており、ＬＢＳ２０に接続され、ＬＢＳ２０ａ〜２０ｃを経て、配電線１２を介し、変圧器４０が取り付けられている。また、変圧器４０と進相コンデンサ２５は、配電線１１を介して接続されている。
【００３２】
なお、下側に配置される単位フレーム５０ｂの底部には、変圧器４０が載置される取り付け板４１が、対向配置されるアングル材に掛け渡されており、この取り付け板４１の上面には、耐震部材７０が配置され、耐震部材７０を介して変圧器４０が収納ラック５５に設置されるようになっている。この耐震部材７０は、例えば、ゴム等の弾性体と金属部材とを交互に積層して形成され、変圧器４０からの振動を吸収し、受電時の消音を行う。
【００３３】
そして、下側の単位フレーム５０ｂ上に変圧器４０を設置し、さらにその上部に上側の単位フレーム５０ａを組み付け、その結果、組み立てられた状態の収納ラック５５内では、変電設備の一部又は全部が、変圧器設置空間４０ａの上方に積み上げる形となる。
【００３４】
ＬＢＳ２０からの分岐線１４は、各戸需要家の１００Ｖ用電源配線として使用される。ＬＢＳ２０は、収納ラック５５の最上部に位置しているため、このＬＢＳ２０に接続された分岐線１４は、収納ラック５５の上方から、各方向へ自由に採り回すことができる。
【００３５】
また、本実施形態において、収納ラック５５には、現場作業の効率化・省力化を図るために、変圧器設置空間４０ａの底面に位置するアングル材５０に係合され、鉛直方向に進退可能とするジャッキ部３０と、ジャッキ部３０に連結され、ジャッキ部３０を進退させるための駆動力を供給する操作部３１が設けられている。
【００３６】
本実施形態において、ジャッキ部３０及び操作部３１は、図１及び図２に示すように、一体的なロッド状の部材３２として形成されており、ロッド状の部材３２上部の操作部３１は、変圧器設置空間４０ａの底部に位置するジャッキ部３０から、変圧器４０の上方に至る長さを有している。具体的に、変圧器設置空間４０ａの底面に位置するアングル材５０には、鉛直方向に貫通された係合孔５１が穿設され、ロッド状の部材３２先端のジャッキ部３０には、係合孔５１に螺合されるネジ部３３が形成されている。
【００３７】
本実施形態において、操作部３１の上端には、例えば、電動トルクレンチなど、操作部３１を回転させる駆動手段６０が取り付け可能であり、駆動手段６０によって操作部３１を回転させることで、一体形成されたジャッキ部３０を回転させる。ジャッキ部３０が回転されると、係合孔５１に螺合されたネジ部３３によって収納ラック５５を鉛直方向に進退するようになっている。なお、本実施形態において、駆動手段６０は、電動式トルクレンチを用いたが、ロッド状の部材を回転できればよく、例えば、エアモータを組み込んだ動力式トルクレンチや油圧トルクレンチを用いてもよく、また、工具を用いず、作業員が操作部３１を掴んで回転させてもよい。
【００３８】
また、変圧器設置空間４０ａの底面に位置するアングル材５０の下面には、図３に示すように、ローラー部８０が着脱自在に取り付けられている。このローラー部８０は、変電設備を搬入する際には、収納ラック５５に取り付けられ、設置時には、取り外されるようになっている。
【００３９】
なお、本実施形態では、操作部３１とジャッキ部３０とを一体的なロッド部材３２としたが、本発明はこれに限定されるものではなく、収納ラック５５を揚重するための手段であるジャッキ部と、揚重手段に駆動力を伝達するための操作部としての機能を備えた装置であれば、適用が可能である。例えば、ジャッキ部３０をボルト部材などの操作部３１とは別の部材とし、操作部は、このボルト部材を回すためのレンチやスパナなどの器具や装置としてもよい。
【００４０】
（変電設備の設置方法）
以上の構成を有する収納ラック５５を用いることによって、本発明の変電設備の設置方法を実施することができる。図４は、本実施形態に係る変電設備の設置方法の概要を示す説明図であり、図５は、そのフローチャート図であり、図６は、本実施形態に係る電設備室の変電設備の配列を示す正面図である。なお、ここでは、集合住宅２２０において、需要家から電力会社に貸し室として提供される変電設備室２２０ａに、電力会社所有の変電設備を設置して電力を供給する場合を例に説明する。
【００４１】
先ず、工場２００など、施工現場である変電設備室２２０ａから離れた場所において、作業員２０１によって、分解状態ステップ（Ｓ１０１）を行う。具体的には、アングル材５０を組み立てて単位フレーム５０ａ，５０ｂをそれぞれ製作し、収納ラック５５が複数の単位フレーム５０ａ，５０ｂに分解された状態にする。この状態において、単位フレーム５０ａ，５０ｂを構成するアングル材に変電設備（ＬＢＳ２０ａ〜２０ｃ、及び進相コンデンサ２５ａ〜２５ｃ）を固定する。
【００４２】
次いで、搬入ステップ（Ｓ１０２）を実施する。ここでは、分解状態ステップで製作された単位フレーム５０ａ，５０ｂを、トラック等の車両２１０により運搬し、設置場所である変電設備室２２０ａに搬入する。この際、図３（ａ）に示すように、単位フレーム５０ｂの底面に、ローラー部８０を取り付けた状態で、単位フレーム５０ａ，５０ｂ及び変電設備を設置場所である変電設備室２２０ａに搬入する。
【００４３】
そして、変電設備室２２０ａの作業スペースにおいて、搬入された単位フレーム５０ａ，５０ｂを組み立てて収納ラック５５を構築する（Ｓ１０３）。組み立てられた状態の収納ラック５５内には、変圧器４０が設置される変圧器設置空間４０ａが確保され、この変圧器設置空間４０ａ内の下面に、取り付け板４１を設置し、この取り付け板４１の上に変圧器４０を設置する。その結果、この組み立てられた状態の収納ラック５５内において、変電設備の一部又は全部が、変圧器設置空間４０ａの上方に積み上げる形となる。なお、この際、取り付け板４１には、例えば、弾性体と金属部材とを相互に重ね合わせて形成された耐震部材７０を配置させ、耐震部材を介して変圧器４０が収納ラック５５に設置されるようにする。
【００４４】
その後、変圧器４０が設置された収納ラック５５を設置場所に移動させる。本実施形態では、図３に示すように、変電設備室２２０ａ内の壁２２１ｂ際に配置させるものとする。この際、収納ラック５５には、ローラー部８０と取り付けた状態であるため、移動が容易である。
【００４５】
そして、移動された収納ラック５５にジャッキ部３０を係合させるジャッキ設置ステップ（Ｓ１０４）を実施する。このジャッキ設置ステップでは、図３（ａ）に示すように、変圧器設置空間４０ａの底面に位置するアングル材５０に穿設された係合孔５１に、ジャッキ部３０のネジ部３３を螺合させる。
【００４６】
ジャッキ部３０を係合した後は、ジャッキ部３０を進退させるための駆動力をジャッキ部３０に供給して、収納ラック５５を上昇させるジャッキアップステップ（Ｓ１０５）を実施する。具体的には、図３（ｂ）に示すように、係合孔５１にロッド状の部材を螺合させた状態で、操作部３１の上部に駆動手段６０を連結し、操作部３１を介してロッド状の部材３２を回転させる。
【００４７】
ロッド状の部材が回転されると、係合孔５１に螺合されたネジ部３３によって、図３（ｃ）に示すように、ロッド状の部材は下方へ向けて突出し、単位フレーム５０ａ，５０ｂを上昇させる。そして、単位フレーム５０ａ，５０ｂが上昇した状態で、ローラー部８０を取り外す。
【００４８】
ローラー部８０を取り外した後には、図３（ｄ）に示すように、操作部３１を介してロッド状の部材３２を回転させて、収納ラック５５内を下降させて収納ラック５５を変電設備室の床面２２１ａ上に設置させる（Ｓ１０６）。設置終了後には、ジャッキ部３０を取り外す。
【００４９】
その後、変電設備に含まれる機器同士を配電線１１〜１３により接続する（Ｓ１０７）。また、組み立てられた状態の収納ラック５５は、図６に示すように、責任分界点キャビネットに接続された変電設備１に隣接するように複数配置され、分岐線１４を介して接続される。なお、配電線１１〜１３の接続は、単位フレーム５０ａ及び５０ｂを組み立てる際に実施してもよい。
【００５０】
（作用・効果）
本実施形態によれば、変電設備室における変電設備の設置工事において、予め、工場など設置現場以外の場所において単位フレーム５０ａ，５０ｂに必要な変電設備（変圧器，電力ヒューズ, 一次側配電線及び一次側開閉器など）を組み付けておき、その状態で設置現場に搬入し、現場にて全体として枠状に組み立てた後、変電設備に含まれる機器同士を接続する。この結果、現場での組付け作業を軽減することができる。
【００５１】
また、変圧器設置空間４０ａの底面、すなわち収納ラック５５の下端にジャッキ部３０を設け、これにより単位フレーム５０ａ，５０ｂ若しくは収納ラック５５を揚重する機能をフレーム自身に持たせることができ、特別な揚重設備や搬入装置を要することなく、簡単に重量の大きい変電設備を搬入及び設置することが可能となる。特に、ジャッキ部３０に駆動力を供給するための操作部３１が、変圧器の上方、すなわち変圧器設置空間４０ａの上側から、底面のジャッキ部３０に至るように設けられていることから、変圧器上方の空間を利用して作業を行うことができ、狭い設置場所であっても柔軟に対応することができる。
【００５２】
さらに、本実施形態では、ジャッキ部３０や操作部３１を一体的なロッド状の部材で形成し、アングル材の係合孔５１に螺合させるという構成とすることから、変電設備の揚重を複雑な装置や器具を用いることなく簡易に行うことができ、設備費を低廉化できるとともに、設置や操作の簡素化により、作業時間を短縮することができる。
【００５３】
また、本実施形態において、変圧器設置空間４０ａの底面に位置する収納ラック５５の下面に、ローラー部８０を着脱自在に取り付け、搬入の際には、単位フレーム５０ａ，５０ｂの底面に、ローラー部８０を取り付けた状態で、単位フレーム５０ａ，５０ｂ及び変電設備を設置場所に搬入する。
【００５４】
そして、ジャッキアップステップでは、ジャッキ部３０により単位フレーム５０ａ，５０ｂを上昇させた際に、ローラー部８０を取り外すので、アングル材にローラー部８０を取り付けた状態で、変圧器を単位フレーム５０ａ，５０ｂに載置して搬入することができる。このため、本実施形態によれば、特別な搬入装置を要することなく、容易且つ迅速に設置作業を行うことができる。
【００５５】
また、収納ラック５５に設けられたジャッキ部３０によりジャッキアップすることにより、ローラー部８０を収納ラック５５下端から取り外して撤去することができるため、特別な揚重装置を要することなく、変電設備が取り付けられた収納ラック５５を安定して設置することができる。
【００５６】
（変更例）
なお、上述した実施形態では、係合孔５１に係合されるジャッキ部３０のネジ部３３を螺合させることで、収納ラック５５を鉛直方向に進退させたが、本発明は、これに限定するものではなく、種々の変更を加えることができる。図７は、第１変更例に係る変電設備の設置構造を示す側面図であり、図８（ａ）及び（ｂ）は、第１変更例に係る収納ラックの設置方法を示す説明図である。また、図９は、第２変更例に係る変電設備の設置構造の概略構成を示す斜視図である。なお、本変更例において、上述した実施形態と同一の構成要素には同一の符号を付し、その機能等は特に言及しない限り同一であり、その説明は省略する。
【００５７】
（変更例１）
例えば、図７に示すように、操作部３１に設置され、ジャッキ部３０及び操作部３１を支持体として、上下に移動する油圧式、又は電動式などの駆動手段６１を用いてもよい。この場合には、駆動手段６１と、底面２２１ａに対して垂直に延びた単位フレーム５０である支柱フレーム５２とを連結部材６２を用いて連結させる。
【００５８】
そして、使用時には、先ず、単位フレーム５０ａ，５０ｂを構成するアングル材に変電設備（変圧器４０、ＬＢＳ２０ａ〜２０ｃ、及び進相コンデンサ２５ａ〜２５ｃ）を固定して、設置場所に移動させる。そして、設置場所において、ジャッキアップステップを実施する。具体的には、図８（ａ）に示すように、駆動手段６１をジャッキ部３０を支持体として上部に移動させて、駆動手段６１に連結された支柱フレーム５２を上昇させる。
【００５９】
その後、ローラー部８０が浮いた状態で、ローラー部８０を取り外し、ローラー部８０を取り外した後には、図８（ｂ）に示すように、駆動手段６１を下方に移動させることで、収納ラック５５内を下降させて収納ラック５５を変電設備室の床面２２１ａ上に設置させる。
【００６０】
このような変更例においても、変電設備の揚重を複雑な装置や器具を用いることなく簡易に行うことができ、設備費を低廉化できるとともに、設置や操作の簡素化により、作業時間を短縮することができる。
【００６１】
（変更例２）
また、例えば、ジャッキ部３０を四点同時に捩じて収納ラック５５を鉛直方向に進退させるギア機構を用いてジャッキアップしてもよい。具体的に、このギア機構は、図９に示すように、床面に対して水平に延出され、一方の端部分が操作部３１となる第１のシャフト３７と、第１のシャフト３７と同一軸上に配置され、操作部３１とは反対側に配置される第３のシャフト３８と、第１のシャフト３７及び第３のシャフトと同一平面上で直交し、第１のシャフト３７の回転力をジャッキ部３０に伝達させる一対の第２のシャフト３５，３５とを備えている。
【００６２】
本変更例において、第１のシャフト３７及び第３のシャフト３８と、第２のシャフトとが交差する部分には、第１のシャフト３７、又は第３のシャフト３８の回転力を複数の方向に分岐させるギアボックス３６ａ及び３６ｂが設置されている。本変更例において、ギアボックス３６ａ及び３６ｂは、例えば、笠歯車や、差動歯車で形成されており、ギアボックス３６ａは、第１のシャフト３７の回転力を３つの方向に分岐させており、一対の第２のシャフト３５，３５と、第３のシャフトに動力を伝達させている。また、ギアボックス３６ｂは、第３のシャフトの回転力を一対の第２のシャフト３５，３５へ伝達させている。
【００６３】
また、第２のシャフト３５とジャッキ部３０とが接触する部分には、ウォームギア３４が形成されており、このウォームギア３４によって、第２のシャフト３５の回転力がジャッキ部３０へ伝達されるようになっている。具体的には、このウォームギア３４は、第２のシャフト３５にねじ歯車（ウォーム）３４ｂが形成され、ジャッキ部３０に、はす歯歯車（ウォームホイール）３４ａが形成されている。
【００６４】
このような構成により、操作部３１を介して第１のシャフト３７が回転されると、その回転力は、ギアボックス３６ａを介して、第１のシャフト３７の回転軸と直交する回転軸を中心とした回転運動に変換されて、一対の第２のシャフト３５，３５に伝達され、一対の第２のシャフト３５，３５を回転させる。また、第１のシャフト３７の回転力は、ギアボックス３６ａを介して、第１のシャフト３７と同一軸上に配置された第３のシャフト３８に伝達され、第３のシャフト３８を回転させる。
【００６５】
第３のシャフト３８が回転されると、その回転力は、ギアボックス３６ｂを介して、第３のシャフト３７の回転軸と直交する回転軸を中心とした回転運動に変換されて、一対の第２のシャフト３５，３５に伝達され、一対の第２のシャフト３５，３５を回転させる。
【００６６】
そして、第２のシャフト３５が回転されると、その回転力は、ねじ歯車（ウォーム）３４ｂ、及び、はす歯歯車（ウォームホイール）３４ａを介して、第２のシャフト３５の回転軸と垂直する回転軸を中心とした回転運動に変換されて、ジャッキ部３０を伝達される。そして、ジャッキ部３０が回転することで、係合孔５１に螺合されたネジ部３３によって収納ラック５５を鉛直方向に進退するようになっている。
【００６７】
なお、本変更例において、第１のシャフト３７と第２のシャフト３５とは、変圧器設置空間４０ａに配置され、操作部３１は、収納ラック５５の外部に突出するようになっている。また、本変更例においても、操作部３１には、例えば、電動トルクレンチや、油圧式トルクレンチなど、操作部３１を回転させる駆動手段６０を取り付けてもよい、また、例えば、ハドル等を取り付けて、作業員が手動で回転させてもよい。
【００６８】
このような変更例においては、操作部３１を回転させることで、すべてのジャッキ部３０を同時に回転させて、収納ラック５５を鉛直方向に進退させることができるので、より設置や操作を簡素化させ、作業時間を短縮することができる。
【符号の説明】
【００６９】
１１〜１４…配電線
２０（２０ａ〜２０ｃ）…ＬＢＳ
２５（２５ａ〜２５ｃ）…進相コンデンサ
３０…ジャッキ部
３１…操作部
３２…ロッド部材
３３…ネジ部
３４ａ…はす歯歯車（ウォームホイール）
３４ｂ…ねじ歯車（ウォーム）
３５…第２のシャフト
３７…第１のシャフト
３８…第３のシャフト
４０…変圧器
４０ａ…変圧器設置空間
４１…取り付け板
５０…アングル材
５０ａ，５０ｂ…単位フレーム
５１…係合孔
５２…支柱フレーム
５５…収納ラック
６０…駆動手段
６１…駆動手段
６２…連結部材
７０…耐震部材
８０…ローラー部
２００…工場
２０１…作業員
２１０…車両
２２０…集合住宅
２２０ａ…変電設備室
２２１ａ…床
２２１ｂ…壁
【図１】
2014107936.tif 000003
【図２】
2014107936.tif 000004
【図３】
2014107936.tif 000005
【図４】
2014107936.tif 000006
【図５】
2014107936.tif 000007
【図６】
2014107936.tif 000008
【図７】
2014107936.tif 000009
【図８】
2014107936.tif 000010
【図９】
2014107936.tif 000011